(57)【特許請求の範囲】
【請求項１】
移植片を伴う注射用カニューレであって、該移植片が、少なくとも１つの生理学的に許容可能な材料により該注射用カニューレ内に少なくとも１つの長軸側面の少なくとも一部にわたって脱着可能に固定されており、当該少なくとも１つの生理学的に許容可能な材料が、移植片の少なくとも１つの長軸側面の表面と、カニューレの内壁の表面との間に配置されることを特徴とする、移植片を伴う注射用カニューレ。
【請求項２】
少なくとも１つの生理学的に許容可能な材料が、１つ若しくは複数の半固体材料及び／又は１つ若しくは複数の硬化材料から選択されることを特徴とする、請求項１に記載の移植片を伴う注射用カニューレ。
【請求項３】
少なくとも１つの生理学的に許容可能な材料がポリマー材料を含むことを特徴とする、請求項１又は２に記載の移植片を伴う注射用カニューレ。
【請求項４】
移植片が、該注射用カニューレ内に少なくとも１つの長軸側面の表面領域の最大５０％にわたって脱着可能に固定されることを特徴とする、請求項１〜３のいずれか一項に記載の移植片を伴う注射用カニューレ。
【請求項５】
移植片が、該注射用カニューレ内に少なくとも１つの長軸側面の表面上の少なくとも１つの点にわたって脱着可能に固定されることを特徴とする、請求項１〜４のいずれか一項に記載の移植片を伴う注射用カニューレ。
【請求項６】
少なくとも１つの生理学的に許容可能な材料が、０．１ｍｍ〜１．２ｍｍの層厚を有することを特徴とする、請求項１〜５のいずれか一項に記載の移植片を伴う注射用カニューレ。
【請求項７】
側方開口部を有することを特徴とする、請求項１〜６のいずれか一項に記載の移植片を伴う注射用カニューレ。
【請求項８】
移植片が、該注射用カニューレの該側方開口部の領域に配置されることを特徴とする、請求項７に記載の移植片を伴う注射用カニューレ。
【請求項９】
移植片が、ゴセレリン、リュープロレリン、アナストロゾール（anastrozole）、リスペリドン及びオクトレオチドからなる群から選択される有効成分を含むことを特徴とする、請求項１〜８のいずれか一項に記載の移植片を伴う注射用カニューレ。
【請求項１０】
移植片が、乳酸及び／又はグリコール酸のポリマー及びコポリマー、又はポリラクチド及びポリ−ラクチド−コ−グリコリドからなる群から選択されるプラスチック材料を含むことを特徴とする、請求項１〜９のいずれか一項に記載の移植片を伴う注射用カニューレ。
【請求項１１】
移植片が、該生理学的に許容可能な材料と同一の材料を何ら含まないことを特徴とする、請求項１〜１０のいずれか一項に記載の移植片を伴う注射用カニューレ。
【請求項１２】
注射用カニューレ内に移植片を脱着可能に固定する方法であって、移植片を該カニューレ内に導入する前に、流動性の生理学的に許容可能な材料の一つ又は複数を該カニューレ内に導入して、任意に該カニューレ内に分配することを特徴とし、そして、少なくとも１つの生理学的に許容可能な材料が、移植片の少なくとも１つの長軸側面の表面と、カニューレの内壁の表面との間に配置される、注射用カニューレ内に移植片を脱着可能に固定する方法。
【請求項１３】
該注射用カニューレの内径が、導入された流動性の生理学的に許容可能な材料の一つ又は複数の小滴を用いて一箇所で狭くされるか、又は導入された流動性の生理学的に許容可能な材料の周縁環によって狭くされることを特徴とする、請求項１２に記載の方法。
【請求項１４】
流動性の生理学的に許容可能な材料の２５μｌ未満が、カニューレ内に導入される請求項１２又は１３に記載の方法。
【請求項１５】
流動性の生理学的に許容可能な材料の２５ｍｇ未満が、カニューレ内に導入される請求項１２又は１３に記載の方法。
【請求項１６】
流動性の生理学的に許容可能な材料が、半固体材料又は硬化性ポリマー材料から選択されることを特徴とする、請求項１２〜１５のいづれか一に記載の方法。
【請求項１７】
移植片を該カニューレ内に導入する前に、硬化性ポリマー材料を該カニューレ内に導入して硬化させることを特徴とする、請求項１６に記載の方法。
【請求項１８】
移植片を該カニューレ内に導入する前に、該カニューレ内に導入した該流動性の生理学的に許容可能な材料の一部を、該カニューレから再び除去することを特徴とする、請求項１２〜１５のいずれか一項に記載の方法。
【請求項１９】
移植片を該カニューレ内に導入する前に、該硬化ポリマー材料の一部を該カニューレから再び除去することを特徴とする、請求項１７に記載の方法。
【請求項２０】
注射用カニューレが側方開口部を有することを特徴とする、請求項１２〜１９のいずれか一項に記載の方法。
【請求項２１】
移植片を、該注射用カニューレの該側方開口部の領域に脱着可能に固定することを特徴とする、請求項２０に記載の方法。
【請求項２２】
流動性の生理学的に許容可能な材料を、該注射用カニューレの該側方開口部を介して該注射用カニューレ内に導入することを特徴とする、請求項２１に記載の方法。
【請求項２３】
移植片が、ゴセレリン、リュープロレリン、アナストロゾール、リスペリドン及びオクトレオチドからなる群から選択される有効成分を含むことを特徴とする、請求項１２〜２２のいずれか一項に記載の方法。
【請求項２４】
移植片が、乳酸及び／又はグリコール酸のポリマー及びコポリマー、又はポリラクチド及びポリ−ラクチド−コ−グリコリドからなる群から選択されるプラスチック材料を含むことを特徴とする、請求項１２〜２３のいずれか一項に記載の方法。
【発明の詳細な説明】
【技術分野】
【０００１】
本発明は、移植片を伴う注射用カニューレ及び注射用カニューレ内に移植片を脱着可能に固定する方法に関する。
【背景技術】
【０００２】
近代の薬物療法、例えば疾患の長期治療の場合には、移植片とも称される埋込み型薬剤デポが使用されている。移植片は往々にして、生分解性プラスチック材料から作製されるマトリクス中に医薬品（薬剤又は有効成分）を含有する。好ましくはプラスチック／有効成分マトリクスから作製される小さい円筒形のロッドの形態をとる移植片を患者に皮下注射することが好ましい。移植片は、例えば人体内の自然な水分バランスに起因するプラスチックマトリクスの加水分解の結果として患者の体内で崩壊し、その結果、プラスチックマトリクスに封入されているか又はそれと結合している有効成分が生体内に制御放出されることで、長期間にわたって患者に投与される（デポ機能）。薬剤が患者の体内に放出される期間は典型的に数週間から数ヶ月、例えば４週間から６週間に及ぶ。移植片は例えば腫瘍患者の治療に使用されており、該移植片は、例えばテストステロンの低下、それ故、腫瘍成長の抑制をもたらす有効成分を患者の体内に放出する。移植片の形態で投与される有効成分の例はゴセレリンである。
【０００３】
概して、移植片は埋込み装置を用いて人体内に導入される。このような埋込み装置は通常、３つの主要機能部品、すなわち注射用カニューレ、カニューレと永久的に連結し得る有効成分コンテナ又はカニューレホルダ、及び注射用カニューレを介して患者の組織内に移植片を導入することができる例えばプランジャ形態の挿入具からなる。従来の実施の形態では、有効成分コンテナ又はカニューレホルダが、プランジャをカニューレ内に直接誘導するプランジャチャネルを含む。かかる埋込み装置は既知である。
【０００４】
移植片及び埋込み装置の無菌性を確実なものとするために、多くの場合、製造業者によって無菌条件下で埋込み装置に移植片が充填され、充填された埋込み装置がその後無菌パックされる。実際には、例えば開梱、移動、取扱い又は位置決めの過程で移植片が不用意に埋込み装置から脱落するのを防ぐことが必要不可欠であることが見出されている。そのために、埋込み装置用の様々な安全要素が開発されている。
【０００５】
例えば、特許文献１は、移植片がプランジャチャネル（有効成分コンテナ）内に、プランジャチャネルの近位端に（すなわち、カニューレと連結するプランジャチャネルの末端に）設けられる突起部によってしっかりと保持される埋込み装置を記載している。プランジャに十分な力を加えることによって、移植片と突起部との間の摩擦が克服され、移植片がカニューレ内に進入した後、注入される。突起部を伴うこの埋込み装置は、必要な力を加えた際に、脆いプラスチック／有効成分マトリクスから作製される移植片が壊れるおそれがあるという欠点を有する。その理由から、例えば、特許文献２及び特許文献３は、プランジャチャネルの近位端に配置される、弾力的なプレテンションのかかった保持要素を用いて、移植片をプランジャチャネル内にしっかりと保持することを提案しており、該保持要素は可撓性であるため、プランジャに力を加えると移植片に道をあけ、プランジャチャネルを開放する。
【０００６】
移植片がプランジャチャネル（有効成分コンテナ）内に保持されるそれらの埋込み装置は全て、機能面での必要性として、カニューレの全長を介してプランジャチャネルから移植片を注入するのに十分に長いプランジャを有していなければならない。このような長いプランジャを有する埋込み装置は取扱い及び使用に問題がある。
【０００７】
特許文献４及び特許文献５によれば、埋込み装置が長いプランジャを有することを避けるように、移植片がカニューレ自体内にしっかりと保持される。特許文献４は、その内部にチャネルが走るスリーブ（sleeve）、及びチャネル内にその長軸に対して横方向に弾力的なプレテンションがかかる保持要素を記載しており、スリーブを、側方開口部を有する注射用カニューレ（例えば、ペンシルポイントカニューレ）の上を押して、カニューレに据えられる移植片をその位置に留めることが可能である。スリーブの使用の結果として、カニューレから移植片を注入するのに十分に長いことのみを必要とするプランジャを有する埋込み装置を使用することが可能である。特許文献５では、スリーブの代わりに、例えばゴム等の弾性材料から作製されるＯリングを使用して、側方開口部を有するカニューレ内においてその位置に移植片を留める。問題は、特許文献４によるスリーブ及び特許文献５によるＯリングが両方とも使用者によってずらされるおそれがあり、その結果、移植片が放出されて、カニューレ内を摺動するか又は場合によってはそれどころかカニューレから完全に脱落する可能性があることである。加えて、スリーブ及びＯリングはそれぞれ、カニューレの側方開口部を完全に及び部分的に覆うことにより、カニューレ内の移植片の存在についての目視検査を行うことを困難にする。
【０００８】
特許文献４はまた、鉗子を用いてカニューレの近位開口部内に小さいロッド形態の移植片を導入して、移植片も作製されるプラスチック材料の溶液で所定の位置に固定し、該プラスチック溶液が更にカニューレの近位開口部を介して定量小滴の形態で移植片に施される、移植片を固定する方法を記載している。プラスチック小滴は小さい移植片ロッド前近くに位置し、カニューレの内壁及び小さい移植片ロッドの両方に付着して、室温で硬化する。プランジャを用いて移植片を投与する場合には、プラスチック小滴が切り離され、移植片を放出する。この方法の欠点は、カニューレ内における小滴、及びそれ故移植片の再現可能な位置を確実なものとすることが不可能なことである。加えて、例えば有効成分の放出等の移植片の重要な特性は、移植片がプラスチック溶液によって溶解し始め得るため、移植片の表面が不規則に拡大するか又は何らかの他の形で変化するという点において影響を受けることがある。例えば、有効成分が放出される小さい移植片ロッドの表面はまた、プラスチック溶液によって種々の程度に変化することがあり、その結果、表面の一部が、小さい移植片ロッドからの有効成分の放出に対して限られた利用可能性しか有しないことがあり、このことが、均一性及び／又は有効成分の放出時間に悪影響を及ぼす場合がある。その上、部分溶解は移植片の構造を脆弱にすることがあるため、移植片が注入中に壊れるおそれがある。
【先行技術文献】
【特許文献】
【０００９】
【特許文献１】米国特許第４，７８７，３８４号
【特許文献２】英国特許第７８６，８５０号
【特許文献３】欧州特許第６３１７９４号
【特許文献４】欧州特許第１７１６８８３号
【特許文献５】独国実用新案第２０  ２００９  ０１６５２４号
【発明の概要】
【発明が解決しようとする課題】
【００１０】
本発明の課題は従来技術を改善することである。
【課題を解決するための手段】
【００１１】
したがって、本発明は、移植片を伴う注射用カニューレであって、該移植片が、少なくとも１つの生理学的に許容可能な材料により該注射用カニューレ内に少なくとも１つの長軸側面の一部にわたって脱着可能に固定される、移植片を伴う注射用カニューレを提供する。本発明による移植片を伴う注射用カニューレは、例えば輸送、開梱、取扱い、位置決め等の過程でカニューレを動かす場合には、移植片が注射用カニューレ内に確実に残留するが、埋込み装置の挿入具、例えばプランジャ等を移植片に意図したように作用させると、容易に放出され、その結果、移植片がカニューレから患者内へと注入されることを確実にする。したがって、本発明による移植片を伴う注射用カニューレはまた、移植片が注入時に無菌であるだけでなく、変化しない、すなわち、固定材料又は環境との相互作用により変化することなく、薬事を管理する法に基づく認可要件を依然として全て満たすことも確実にする。
【００１２】
本発明は、注射用カニューレ内に移植片を放出可能に固定する方法であって、移植片を該カニューレ内に導入する前に、流動性の生理学的に許容可能な材料を該カニューレ内に導入する、注射用カニューレ内に移植片を放出可能に固定する方法も提供する。
【発明を実施するための形態】
【００１３】
本発明により理解される場合、移植片は、疾患の長期治療のための薬物療法に使用することができる従来の移植片又は埋込み型薬剤デポである。移植片は、医薬品（薬剤又は有効成分）を含む。
【００１４】
好ましい有効成分は、例えばリスペリドン等の向精神薬、特に抗統合失調症薬；又はペプチド若しくはタンパク質である。移植片は特に、ホルモン又はホルモン拮抗薬及びホルモン作動薬、例えばＬＨＲＨ又はＬＨＲＨ拮抗薬、例えばアナストロゾールの群からの有効成分を含む。ゴセレリン、リュープロレリン及びオクトレオチドも好ましい。
【００１５】
有効成分は好ましくは、マトリクスに封入されているか又はそれと結合している。マトリクスは好ましくは完全に、移植片からの有効成分の放出後に体内に残留するか、若しくは身体から除去され得るか、又は有効成分の放出中若しくは放出後に体内で分解若しくは吸収される生理学的に許容可能な材料からなる。マトリクス材料の好ましい例は、ポリマー、コポリマー及び脂質である。マトリクスは特に生分解性プラスチック材料を含む。マトリクス材料として好適な生分解性プラスチック材料の好ましい例としては、乳酸及び／又はグリコール酸のポリマー及びコポリマー、特にポリラクチド及びポリ−ラクチド−コ−グリコリドが挙げられる。ポリエステルが更に好まれる。移植片が患者内、好ましくは皮下に、注入されたら、人体内の自然な水分バランスのために加水分解により分解され得る生分解性プラスチック材料がとりわけ好まれる。結果として、プラスチックマトリクスに封入されているか又はそれと結合している有効成分が、生体内に制御放出されることで、長期間にわたって患者に送達される（デポ機能）。加水分解により生分解可能なプラスチック材料の好ましい例は、ポリラクチド及びポリ−ラクチド−コ−グリコリド、並びにまたポリエステル及び脂質である。特に好ましい移植片は、ポリ−ラクチド−コ−グリコリドとゴセレリンとのプラスチック／有効成分の組合せを含む。
【００１６】
移植片はいずれの従来の形状を有していてもよい。移植片の好適な形状は円筒形等である。好ましくは、移植片は、プラスチック／有効成分マトリクスから作製される小さい円筒形のロッドの形態をとる。このような移植片は好ましくは、例えば押出成形によって製造することができる。代替的に、移植片は球形、例えばペレット形態等であってもよい。
【００１７】
移植片の好ましい寸法は、５ｍｍ〜２５ｍｍ、好ましくは１０ｍｍ〜２０ｍｍの長さ、及び０．８ｍｍ〜２．５ｍｍ、好ましくは１．１ｍｍ〜１．６ｍｍの断面である。移植片は、好ましくは０重量％〜５０重量％、特に５重量％〜４０重量％、とりわけ１５重量％〜３０重量％の有効成分、及び５０重量％〜１００重量％、特に６０重量％〜９５重量％、とりわけ７０重量％〜８５重量％の生分解性プラスチック材料を含む。好ましくは、移植片の全質量は、１０ｍｇ〜１００ｍｇ、特に１５ｍｇ〜７５ｍｇ、とりわけ２０ｍｇ〜５０ｍｇである。
【００１８】
特に好ましい実施の形態では、１２ｍｍ〜１６ｍｍの長さ及び１．０５ｍｍ〜１．２５ｍｍの直径の寸法を有する小さいロッド形状の移植片が、３．５ｍｇ〜３．８ｍｇのゴセレリン及び１５ｍｇ〜２５ｍｇの生分解性ポリマー、好ましくはポリ−ラクチド−コ−グリコリドを含む。その移植片は好ましくは１ヶ月製剤として好適である。別の特に好ましい実施の形態では、１７ｍｍ〜２５ｍｍの長さ及び１．４０ｍｍ〜１．６０ｍｍの直径の寸法を有する小さいロッド形状の移植片が、１０．６ｍｇ〜１１．０ｍｇのゴセレリン及び３５ｍｇ〜５５ｍｇの生分解性ポリマー、好ましくはポリ−ラクチド−コ−グリコリドを含む。その移植片は好ましくは３ヶ月製剤として好適である。それらの移植片はまた、例えば、リュープロレリン及び／又はオクトレオチド等の代替的又は付加的な有効成分を含んでいてもよく、それに応じてそれぞれの投与量を変更することが可能である。
【００１９】
本発明により理解されるような注射用カニューレは、移植片の注入に関する分野で使用され得る任意の従来の注射用カニューレである。カニューレは好ましくは、表面が特にシリコン処理されている特殊鋼から製造される。カニューレは好ましくは、２０ｍｍ〜５０ｍｍ、特に２５ｍｍ〜４０ｍｍ、とりわけ３０ｍｍ〜３４ｍｍの長さ、１．０ｍｍ〜３．０ｍｍ、特に１．５ｍｍ〜２．５ｍｍ、とりわけ１．８ｍｍ〜２．０ｍｍの外径、及び０．８ｍｍ〜２．８ｍｍ、特に１．３ｍｍ〜２．３ｍｍ、とりわけ１．６ｍｍ〜１．８ｍｍの内径を有する。カニューレの肉厚は好ましくは約０．２ｍｍである。１ヶ月製剤として好適な移植片については、３０ｍｍ〜３４ｍｍの長さ並びに１．４ｍｍの内径及び１．６ｍｍの外径を有するカニューレ、３ヶ月製剤として好適な移植片については、３０ｍｍ〜３４ｍｍの長さ並びに１．８ｍｍの内径及び２．０ｍｍの外径を有するカニューレが特に好まれる。
【００２０】
カニューレは好ましくは、カニューレを挿入装置と連結させるための従来の連結手段を有する。好適な連結手段の例は「ルアーロックシステム」等である。「カニューレ」という用語は、単独の注射針について、及び連結手段（ニードルホルダ）を伴う注射針について使用される。
【００２１】
注射用カニューレの内径は、移植片の外径よりも大きい。好ましくは、注射用カニューレの内径と移植片の外径との差は、０．１ｍｍ〜０．８ｍｍ、特に０．２ｍｍ〜０．５ｍｍ、とりわけ０．３ｍｍ〜０．４ｍｍである。好ましい実施の形態では、約１．１５ｍｍの直径を有する移植片を、１．４ｍｍの内径を有する注射用カニューレと組み合わせて使用する。
【００２２】
本発明によれば、移植片は、少なくとも１つの生理学的に許容可能な材料により注射用カニューレ内に脱着可能に固定される。本発明により理解されるような「生理学的に許容可能な材料」とは、とりわけ、材料を特に皮下注射により患者の体内に導入する際に、材料が生体（患者）に悪影響を有しないことを意味する。好適な生理学的に許容可能な材料は、生物学的に不活性な材料及び生分解性材料、特に生理学的材料、又はモノマーが生理学的なものである生分解性ポリマー材料から選択される。
【００２３】
少なくとも１つの生理学的に許容可能な材料は、移植片に含まれる材料と異なる材料であることが好ましい。言い換えると、移植片は、生理学的に許容可能な材料と同一の材料を何ら含まない。好ましくは、少なくとも１つの生理学的に許容可能な材料はまた、移植片の材料との相互作用に関わると考えられる材料を何ら含まない。生理学的に許容可能な材料は特に、移植片の材料の１つ又は複数を溶解及び／又は崩壊し始めさせると考えられる材料を何ら含まない。例えば、生理学的に許容可能な材料は好ましくは、移植片の有効成分及び／若しくはマトリクスポリマー材料を溶解及び／若しくは崩壊し始めさせると考えられ、並びに／又は移植片を膨潤させると考えられる材料を何ら含まない。また、生理学的に許容可能な材料は好ましくは、移植片の材料の１つ又は複数との反応に関わると考えられる材料を何ら含まない。
【００２４】
生理学的に許容可能な材料は好ましくは、カニューレの内壁の材料に付着するよりも弱く移植片に付着する。例えば、生理学的に許容可能な材料は、移植片の表面に付着するよりも強くカニューレの内壁の表面に付着する。
【００２５】
不活性材料の好ましい例は、炭素をベースとするポリマー材料又はプラスチック材料、例えば、ポリエチレングリコール、特に４００〜１０００の分子量を有するポリエチレングリコール；例えばポリテトラフルオロエチレン（テフロン登録商標）等の過フッ化（perfluorinated）ポリマー；例えばポリオキシメチレン（ＰＯＭ）等のポリアセタール；例えば、過フッ化基等も含み得るシリコーン、特にゴム状シリコーン塊等の炭素／ケイ素系プラスチック材料等である。
【００２６】
生分解性材料の好ましい例は、例えば、トリグリセリド、ジグリセリド、モノグリセリド、脂肪酸、脂肪アルコール等の生理学的材料である。
【００２７】
好ましくは、生理学的に許容可能な材料は、１つ若しくは複数の半固体材料及び／又は１つ若しくは複数の硬化材料から選択される。
【００２８】
半固体材料は好ましくは、本発明により理解される場合、９０ｃＰ以上の粘度を有する材料を表す。半固体材料の例は、粘性ポリマー、例えば、ＰＥＧ  ４００、ＰＥＧ  ７００及びＰＥＧ  １０００等の４００〜１０００の分子量を有するポリエチレングリコール、並びにまたそれらの混合物；並びに、例えば、トリグリセリド、脂肪酸、脂肪アルコール及びそれらの混合物を含むエマルション等の軟膏状塊（クリーム）等である。特に好ましい例は、トリステアレート、トリパルミテート、ステアリン酸、パルミチン酸、ステアリルアルコール、パルミチルアルコールである。
【００２９】
半固体材料はまた、軟膏及びクリームの製造分野で既知の好適な添加剤、例えば、好適な溶媒、可塑剤、安定化剤、乳化剤等を含んでいてもよい。
【００３０】
硬化材料は好ましくは、本発明により理解される場合、流動可能な状態で、プロセス処理、例えばカニューレ内に導入することができ、その後、固体となるか又は固体状態へと変換される材料を表す。例えば、かかる材料の例は、例えばゴム溶液、糖溶液等の溶液；例えば、乾燥時に固体となるゴム−ラテックス懸濁液又はプラスチック−ラテックス懸濁液等の懸濁液；及びまた、重合により固体となる好適なモノマー、オリゴマー等の溶液又は混合物等である。「硬化材料」という用語はまた、溶融状態で流動性でありかつ冷却時に固体となるポリマー材料、例えば従来の溶融接着剤等を含む。
【００３１】
生理学的に許容可能な材料は好ましくはポリマー材料を含む。半固体ポリマー材料の例は、粘性ポリマー、例えば、ＰＥＧ  ４００、ＰＥＧ  ７００及びＰＥＧ  １０００等の４００〜１０００の分子量を有するポリエチレングリコール；並びにまた、例えば、ＰＥＧとポリプロピレングリコール（ＰＰＧ）との混合物並びにＰＥＧ−ＰＰＧコポリマー等のそれらの混合物及びコポリマー等である。
【００３２】
硬化ポリマー材料の例は従来のポリマー材料であり、ポリマー材料という用語はポリマー及びコポリマーを両方とも含む。好ましいポリマー及びコポリマーは、例えばポリテトラフルオロエチレン（テフロン）等の過フッ化ポリマー；例えばポリオキシメチレン（ＰＯＭ）等のポリアセタール；例えば、過フッ化基等も含み得るシリコーン、特にゴム状シリコーン塊等の炭素／ケイ素系ポリマー等；並びに、それらを含有するコポリマー及びポリマーの混合物等である。
【００３３】
硬化ポリマー材料は特に弾性ポリマーである。弾性ポリマーの例は天然ゴム及び合成ゴムである。
【００３４】
移植片は、注射用カニューレ内に少なくとも１つの長軸側面の少なくとも一部にわたって脱着可能に固定される。「脱着可能に固定される」とは、本明細書では、移植片が、注射用カニューレ内に安定して正常にしっかりと保持されるが、カニューレにより誘導される挿入具を意図したように使用すると、従来の力をかけることにより移植片が容易に放出されることを意味する。本発明により理解されるような「しっかりと保持される」とは、例えば輸送、開梱、取扱い、位置決め等の過程でカニューレを動かす場合には、移植片がカニューレ内のその位置に残留するが、埋込み装置の挿入具、例えばプランジャ等を移植片に意図したように作用させると、容易に放出され、その結果、移植片がカニューレから患者内へと注入されることを意味する。注射用カニューレから移植片を排出又は注入するのに必要とされる力は、移植片が壊れるほど大きくてはいけない。本発明によれば、移植片は好ましくは、摩擦のみによって注射用カニューレ内に脱着可能に固定されるか又はしっかりと保持され、対応する摩擦力は、例えば、半固体材料の湿潤度及び粘度によって、又は硬化材料の付着力等によってもたらされるものである。
【００３５】
「脱着可能に固定される」とは、たとえ、このような固定手段が場合によっては、意図したように作用させる挿入具を用いて増強した力をかけることによりカニューレから押し出されることがあり、移植片が該プロセス中に壊れるとしても、移植片が、例えば好適な接着剤、プラスチック材料等で接着接合されることによってカニューレ内に永久的に固定されることを意味するものではない。
【００３６】
本発明によれば、移植片は、注射用カニューレ内に少なくとも１つの長軸側面の少なくとも一部にわたって脱着可能に固定され、好ましくは、移植片は、注射用カニューレ内に１つ又は２つの長軸側面の少なくとも一部にわたって固定され、特に、移植片は、注射用カニューレ内に厳密に１つの長軸側面の少なくとも一部にわたって脱着可能に固定される。本発明により理解される場合、移植片の長軸側面は、移植片がカニューレ内に据えられる場合にカニューレの主軸に平行に配置される移植片の各々の側を指す。したがって、小さい円筒形のロッドの形態の移植片は長軸側面を１つだけ有するのに対し、例えば、正方形断面を有する移植片は４つの長軸側面を有し、六角形断面を有する移植片は６つの長軸側面を有する。また、角のある断面を有する移植片では、長軸側面が、２つの隣接する長軸側面の間の長軸端の形態をとり得る。角のある断面を有する移植片は好ましくは、注射用カニューレ内に長軸端にわたって脱着可能に固定され得る。
【００３７】
移植片は、注射用カニューレ内に、少なくとも１つの長軸側面の全面にわたって又は少なくとも１つの長軸側面の表面領域の一部にわたって脱着可能に固定され得る。好ましくは、移植片は、注射用カニューレ内に、少なくとも１つの長軸側面の５０％以下にわたって、特に３０％以下にわたって、とりわけ２０％以下にわたって、特段１０％以下にわたって脱着可能に固定される。好ましい実施の形態では、円筒形の移植片が、注射用カニューレ内に、その長軸側面の表面の少なくとも１つの環状領域にわたって脱着可能に固定される。環状領域は好ましくは、円筒形の移植片の長軸側面の表面の５０％以下、特に３０％以下、とりわけ２０％以下、特段１０％以下、特に好ましくは５％以下を構成する。
【００３８】
別の好ましい実施の形態では、移植片が、注射用カニューレ内に少なくとも１つの長軸側面の表面上の少なくとも１つの点にわたって脱着可能に固定される。移植片は好ましくは、注射用カニューレ内に１つ又は複数、好ましくは２つ、３つ又は４つの点にわたって搭載される。本発明により理解される場合、「点」は移植片の長軸側面の表面の領域である。点は好ましくは、１０ｍｍ２以下、特に５ｍｍ２以下、とりわけ０．００１ｍｍ２〜２ｍｍ２、特段０．０１ｍｍ２〜１ｍｍ２の表面積を有する。複数の点が移植片の表面上の環に配置されることが好ましい。
【００３９】
移植片は、少なくとも１つの生理学的に許容可能な材料により注射用カニューレ内に少なくとも１つの長軸側面にわたって脱着可能に固定される。したがって、少なくとも１つの生理学的に許容可能な材料が、移植片の少なくとも１つの長軸側面の表面と、カニューレの内壁の表面との間に配置される。少なくとも１つの生理学的に許容可能な材料は好ましくは、０．１ｍｍ〜１．２ｍｍ、特に０．２ｍｍ〜１．０ｍｍ、とりわけ０．３ｍｍ〜０．８ｍｍの層厚を有する。
【００４０】
特に好ましい実施の形態では、注射用カニューレが側方開口部を有する。かかる注射用カニューレは、例えばSueddeutsche Feinmechanik社から、例えば「ペンシルポイントカニューレ」という名称で市販されている。ルアーロック連結システムを伴う、特殊鋼から作製される好ましいカニューレは、３２ｍｍの長さ、１．６ｍｍの外径及び１．４ｍｍの内径を有し、１．２ｍｍの直径を有する開口部が、カニューレの先端から２６ｍｍの距離に形成されている。かかるカニューレは移植片システムのために既に使用されているため（例えば、特許文献４及び特許文献５を参照されたい）、本発明の場合、既存のシステムを使用することが直ちに可能である。そのため、新たな開発に必要とされるコストが発生しない。
【００４１】
移植片は特に、注射用カニューレの側方開口部の領域に配置される。この配置では、側方開口部により、カニューレ内の移植片の存在についての簡単な目視検査が可能となる。
【００４２】
本発明による移植片を伴う注射用カニューレの特に好ましい実施の形態では、側方開口部の反対側に位置するカニューレの内壁上の生理学的に許容可能な材料により、注射用カニューレ内に、注射用カニューレの側方開口部の領域において、少なくとも１つの長軸側面にわたって移植片が脱着可能に固定される。好ましくは、その後、移植片は、注射用カニューレ内に、注射用カニューレの側方開口部の領域において、側方開口部の反対側に位置するカニューレの内壁上の厳密には１点によって固定される。
【００４３】
本発明による移植片を伴う注射用カニューレの代替的な好ましい実施の形態では、カニューレの主軸に対して側方開口部の下及び／又は上に配置される、カニューレの内壁上の少なくとも１つの生理学的に許容可能な材料により、注射用カニューレ内に、注射用カニューレの側方開口部の領域において、少なくとも１つの長軸側面にわたって移植片が脱着可能に固定される。好ましくは、円筒形の移植片は、注射用カニューレ内に、カニューレの内壁上のその長軸側面の表面の少なくとも１つの環状領域にわたって脱着可能に固定され、該環状領域は、カニューレの主軸に対して側方開口部の下及び／又は上に配置される。特に好ましい実施の形態では、環状領域がカニューレの側方開口部の下、すなわち、側方開口部とカニューレの近位端（カニューレの尖っている先端部又は注入開口部）との間に配置される。
【００４４】
その上、本発明は、移植片をカニューレ内に導入する前に、流動性の生理学的に許容可能な材料をカニューレ内に導入する、注射用カニューレ内に移植片を脱着可能に固定する方法を提供する。本発明により理解されるような脱着可能に固定するとは、例えば輸送、開梱、取扱い、位置決め等の過程でカニューレを動かす場合には、そのように固定される移植片を確実にカニューレ内にしっかりと保持する、すなわち、移植片がカニューレ内のその位置に確実に残留するが、埋込み装置の挿入具、例えばプランジャ等を移植片に意図したように作用させると、容易に放出され、その結果、移植片がカニューレから患者内へと注入されることを意味する。
【００４５】
本発明により理解されるような流動性の生理学的に許容可能な材料は、当該分野で既知の任意の従来の流動性の生理学的に許容可能な材料である。本発明により理解されるような流動性とは、材料が従来のプロセス処理条件下で流動することができるため、材料を流体と同様にプロセス処理することができることを意味する。従来のプロセス処理条件は、酸素を含有する雰囲気、好ましくは空気中で、０℃〜１００℃、好ましくは２０℃〜８０℃の温度、特に室温（２５℃）であることが好ましい。
【００４６】
流動性の生理学的に許容可能な材料は、単一の物質又は２つ以上の物質の混合物を含んでいてもよい。単独で又は混和材として使用することができる上述の不活性で生分解性の材料が好まれる。また、流動性の生理学的に許容可能な材料は更に、当該分野で既知の好適な添加剤、例えば、好適な溶媒、可塑剤、安定化剤、乳化剤等を含んでいてもよい。
【００４７】
特に好ましい流動性の生理学的に許容可能な材料は、特にステアレート及びパルミテートのトリグリセリド、脂肪酸、脂肪アルコール；リン脂質；様々なグレードのＰＥＧ、例えばＰＥＧ  ４００等である。
【００４８】
硬化性で流動性の生理学的に許容可能な材料の例は、揮発性構成成分を含む流動性の生理学的に許容可能な材料、例えば溶媒等；又は、カニューレ内で反応を起こす流動性の生理学的に許容可能な材料、例えば硬化性ポリマー等である。好ましい例は、シリコーンゴム、例えば、例えばWacker ChemieからのＥｌａｓｔｏｓｉｌ  Ｅ４１等のＲＴＶ−１シリコーンゴム等である。
【００４９】
本発明による方法は、移植片をカニューレ内に導入する前に、流動性の生理学的に許容可能な材料をカニューレ内に導入することを必要とする。流動性の生理学的に許容可能な材料の導入は、任意の従来の技法を用いて行うことができる。それらの好ましい例は、挿入装置を用いた導入、特に好適な計量装置を用いた定量導入である。
【００５０】
導入すべき流動性の生理学的に許容可能な材料の量は、カニューレ及び移植片の選択された寸法に従って当業者により容易に測定することができる。原則として、課題は、可能な限り少量の流動性の生理学的に許容可能な材料をカニューレ内に導入することであると考えられる。使用する流動性の生理学的に許容可能な材料に応じて、好ましくは２５μｌ未満、特に１５μｌ未満、とりわけ５μｌ未満、特段１μｌ未満を、カニューレ内に導入する。別の実施の形態では、使用する流動性の生理学的に許容可能な材料に応じて、好ましくは２５ｍｇ未満、特に１５ｍｇ未満、とりわけ５ｍｇ未満、特段１ｍｇ未満を、カニューレ内に導入する。しかしながら、初めに、比較的大量の流動性の生理学的に許容可能な材料をカニューレ内に導入した後、移植片をカニューレ内に導入する前に、第２の工程においてそれらの一部を除去することも可能である。
【００５１】
また、望ましくない材料は、例えば流動可能な状態で除去することができる。例えば、第１の工程で、例えば垂直に配置されるカニューレを下端で閉じることによって、カニューレ全体に流動性の生理学的に許容可能な材料を充填した後、例えば下端を開けることによって、流動性の生理学的に許容可能な材料をカニューレから流出させてもよく、その結果、カニューレの内壁のみが依然として湿潤した状態となる。使用する流動性の生理学的に許容可能な材料に応じて、重力下、又は例えば、ガス流、例えば圧縮空気等の好適な手段；例えば、プランジャ、スタイレット等の好適な器具等の助けを得て、材料を単独で流出させてもよい。別の例では、例えば、ガス流、例えば圧縮空気等の好適な手段；例えば、プランジャ、スタイレット等の好適な器具等を用いて、移植片をカニューレ内に導入する前に望ましくない材料をカニューレから除去する前に、例えば材料が含有する溶媒の蒸発、冷却、硬化又は重合による固化等によって、流動性の生理学的に許容可能な材料をカニューレ内で固化させることが可能であり、この際、直径が移植片の直径よりも小さいプランジャ、スタイレット等の使用が好まれる。
【００５２】
流動性の生理学的に許容可能な材料を注射用カニューレ内に導入するために、例えば、流動性の生理学的に許容可能な材料を注射用カニューレ内の特定の位置に有利に導入することができる挿入カニューレ、キャピラリ等の好適な挿入装置を使用することが好ましい。挿入カニューレ又はキャピラリは好ましくは、例えば、それを注射用カニューレ内部の任意の所望の位置に到達させ、かつその位置で流動性の生理学的に許容可能な材料の定量導入を行うことを可能とする長さ、外径等の寸法を有する。
【００５３】
移植片の導入前に流動性の生理学的に許容可能な材料を導入することは、移植片又はそれに含まれる有効成分に有害な条件下でも流動性の生理学的に許容可能な材料をカニューレ内に導入することができるという利点を有する。例えば、高温でのみ流動性であるか、又は、移植片若しくは有効成分に悪影響を及ぼすか若しくは変化させる物質、例えば、移植片若しくは有効成分自体を溶解若しくは崩壊させるおそれもある溶媒等を含む、流動性の生理学的に許容可能な材料を使用することが可能である。したがって、例えば、生理的許容性、流動性、流動条件下における定量性（meterability）、加工性、保存性、安定性等の良好な特性により区別されるものの、移植片又はそれに含まれる有効成分に適合する条件下でプロセス処理することができない材料を使用することが可能である。
【００５４】
本発明による方法の最後の工程において、移植片をカニューレ内に導入する。移植片は、カニューレの先端（近位端）から又は連結装置の端部（遠位端）からカニューレ内に導入することができる。好ましくは、移植片は遠位端からカニューレ内に導入され、好適な器具、例えば、移植片をカニューレ内に導入するための器具、移植片をカニューレ内に位置付けるための器具等を使用することが可能である。
【００５５】
本発明による方法の工程は全て、無菌条件下で実行することができる。代替的に、流動性の生理学的に許容可能な材料を導入するという第１の工程、並びにそれらの硬化、プロセス処理、部分的な除去等のための任意の中間工程は、非無菌条件下で行うことができ、その後、移植片を無菌条件下でカニューレ内に導入する前に、導入された材料を伴う注射用カニューレを滅菌することができる。また、導入及び包装は非無菌条件下で行うことができ、続いて、包装した装置を滅菌することができる。好適な滅菌方法は、加熱滅菌、湿潤空気滅菌、特にγ線による滅菌（γ線滅菌）である。好ましくは工程を全て自動化することができる。
【００５６】
本発明による方法は、移植片が注射用カニューレ内にしっかりと保持されるという結果を示す。本発明により理解されるような「しっかりと保持される」とは、例えば輸送、開梱、取扱い、位置決め等の過程でカニューレを動かす場合には、移植片がカニューレ内のその位置に残留するが、埋込み装置の挿入具、例えばプランジャ等を移植片に意図したように作用させると、容易に放出され、その結果、移植片がカニューレから患者内へと注入されることを意味する。本発明による方法は、移植片が注入時に無菌であるだけでなく、変化しない、すなわち、固定材料又は環境との相互作用により変化することなく、薬事を管理する法に基づく認可要件を依然として全て満たすことも確実にする。
【００５７】
導入される材料の結果として、注射用カニューレの内径は狭くなる。結果として、注射用カニューレ内の移植片の自由な動きが妨げられ、移植片がカニューレ内にしっかりと保持される。導入する材料の量及びその導入位置を制御することによって、カニューレの内径を、いずれの部分も又は在る位置においてのみ狭くしてもよい。或る地点においてのみ内径を狭くすることが好ましい。例えば、導入材料の１つ又は複数、好ましくは１つ、２つ、３つ、４つ又はそれ以上の小滴を用いて一箇所の内径を狭くすることができる。一点における狭窄がとりわけ好まれる。代替的には、導入材料の周縁環（circumferentialring）によって内径を狭くすることができる。
【００５８】
好ましくは、流動性の生理学的に許容可能な材料は、半固体材料又は硬化性ポリマー材料から選択される。本発明により理解されるような半固体材料は、９０ｃＰ以上の粘度を有する材料を表す。半固体材料の例は、粘性ポリマー、例えば、ＰＥＧ  ４００、ＰＥＧ  ７００及びＰＥＧ  １０００等の４００〜１０００の分子量を有するポリエチレングリコール等、並びにまたそれらの混合物、又は、液体ポリエチレングリコールと固体ポリエチレングリコールとの混合物、例えば、いずれの場合も１：１の比率のＰＥＧ  ３００とＰＥＧ  １５００との混合物又はＰＥＧ  ４００とＰＥＧ  １０００との混合物等；並びに、例えば、トリグリセリド、脂肪酸、脂肪アルコール及びそれらの混合物等を含むエマルション等の軟膏状塊（クリーム）である。半固体材料はまた、軟膏及びクリームの製造分野で既知の好適な添加剤、例えば、好適な溶媒、可塑剤、安定化剤、乳化剤等を含んでいてもよい。
【００５９】
硬化性ポリマー材料は、ポリマー又はコポリマーの製造のための従来のポリマー材料、例えば、好適なモノマーと硬化剤との混合物、又は好適な硬化剤とオリゴマーとの混合物等である。硬化性ポリマー材料は、例えば溶媒等の従来の添加剤等を含んでいてもよい。好ましいポリマーは、例えばポリテトラフルオロエチレン（テフロン）等の過フッ化ポリマー；例えばポリオキシメチレン（ＰＯＭ）等のポリアセタール；例えば、過フッ化基等も含み得るシリコーン、特にゴム状シリコーン塊等の炭素／ケイ素系ポリマー；並びに、それらのコポリマー及び混合物等である。シリコーンゴムがとりわけ好まれる。
【００６０】
好ましくは、ポリマー材料は、移植片をカニューレ内に導入する前に、カニューレ内に導入されて硬化される。本発明により理解されるような硬化とは、流動性のポリマー材料が重合反応によって対応するポリマーへと変換されることを意味する。硬化ポリマーは、移植片をカニューレ内に導入する前に、任意の中間工程においてプロセス処理され得る。例えば、望ましくない硬化ポリマーを、例えばスタイレット等の好適な器具を用いて除去することができる。
【００６１】
特に好ましい実施の形態では、弾性ポリマーの１つ又は複数、好ましくは２つ、３つ又は４つの点を、注射用カニューレの内壁に施す。好ましくは、複数の点を、カニューレの内壁に環の形に施す。代替的には、弾性ポリマーの周縁環をカニューレの内壁に施すことも可能である。１つ又は複数の点又は周縁環は以下のように施すことができる。流動性の硬化性ポリマー材料を適切な配置でカニューレの内壁に施した後、硬化させる。代替的には、比較的大量の流動性の硬化性ポリマー材料をカニューレの内壁に施してもよく、望ましくない材料を除去し、カニューレの内壁に残留する材料を硬化させる。また、導入材料を初めに硬化させて、望ましくない材料を第２の工程で除去することもできる。例えば、カニューレの内壁上の周縁環を初めに硬化してもよく、その後、好適な器具、例えばスタイレットを用いて硬化材料の周縁環の内径を所望の寸法に調節することができる。
【００６２】
代替的には、好適な溶媒中の硬化ポリマーの溶液又は溶融させた硬化ポリマーを硬化性ポリマー材料に関するものと同様に使用してもよく、それに対応して硬化工程が溶媒の蒸発又は溶融ポリマーの固化に置き換えられる。溶液の例は従来のゴム溶液等であり、溶融物の例は従来のポリマー性ホットメルト接着剤である。
【００６３】
硬化ポリマーは特段、弾性ポリマーである。弾性ポリマーの好ましい例はシリコーンゴムである。弾性ポリマーは、それらがプロセス処理において良好なだけでなく、少量で注射用カニューレ内に移植片をしっかりと保持するのにもよく適していることから、本発明において特に有益であることが判明した。
【００６４】
本発明による方法の好ましい実施の形態では、移植片をカニューレ内に導入する前に、カニューレ内に導入する流動性の生理学的に許容可能な材料が、カニューレ内に分配される。例えば、半固体材料が、例えばスタイレット等の好適な器具を用いて、カニューレの内壁上に均一に分配され得る。
【００６５】
本発明による方法の別の好ましい実施の形態では、移植片をカニューレ内に導入する前に、カニューレ内に導入した流動性の生理学的に許容可能な材料の一部をカニューレから再び除去する。例えば、望ましくない更なる材料は、例えばカニューレの内壁に対して規定幅の間隙のみを可能とするスタイレットを用いることによって、カニューレから除去することができる。したがって、好ましくは、流動性の生理学的に許容可能な材料の均一な薄層をカニューレの内壁に施してもよい。よって、カニューレ内に導入される流動性の生理学的に許容可能な材料の最大量を簡単な方法で制御することも可能である。
【００６６】
上述のように、例えば、移植片をカニューレ内に導入する前に、カニューレ内に導入して硬化させたポリマー材料の一部を、カニューレから再び除去することができる。よって、有益なことに、従来の硬化性ポリマー材料及び／又はそれらから取得可能なポリマーの良好なプロセス処理特性を利用することが可能である。結果として、カニューレの内径の狭窄部の任意の配置は、ポリマー、好ましくは弾性ポリマーから容易に作ることができる。
【００６７】
本発明による方法の別の特に好ましい実施の形態では、側方開口部を有する注射用カニューレが使用される。かかる注射用カニューレは、例えばSueddeutsche Feinmechanik社から、例えば「ペンシルポイントカニューレ」という名称で市販されている。ルアーロック連結システムを伴う、特殊鋼から作製される好ましいカニューレは、３２ｍｍの長さ、１．６ｍｍの外径及び１．４ｍｍの内径を有し、１．２ｍｍの直径を有する開口部が、カニューレの先端から２６ｍｍの距離に形成されている。かかるカニューレは移植片システムのために既に使用されているため（例えば、特許文献４及び特許文献５を参照されたい）、本発明の場合、既存のシステムを使用することが直ちに可能である。そのため、新たな開発に必要とされるコストが発生しない。
【００６８】
好ましくは、移植片は、注射用カニューレの側方開口部の領域にしっかりと保持される。この配置では、側方開口部により、カニューレ内の移植片の存在について簡単な目視検査を行うことが可能となる。
【００６９】
側方開口部を有する注射用カニューレを用いた本発明による方法の特に好ましい発展形態では、流動性の生理学的に許容可能な材料を、注射用カニューレの側方開口部を介して注射用カニューレ内に導入する。カニューレの側方開口部は、開口部の領域におけるカニューレの内壁への容易な接近を可能とするため、流動性の生理学的に許容可能な材料を、カニューレの内壁上の所望の位置に規定量で容易に施すことができる。結果として、有益なことに、移植片が特定量の材料によりカニューレの側方開口部の領域にしっかりと保持されることが確実とされ得る。好ましくは、流動性の生理学的に許容可能な材料の小滴を、開口部の反対側に位置するカニューレの内壁に施す。半固体材料の使用がとりわけ好まれる。特に好ましい実施の形態では、１μｌ以下の体積、とりわけ０．１μｌ〜０．９μｌ、特段０．５μｌ〜０．８μｌの体積を有する小滴がカニューレの内壁に施される。
【００７０】
移植片は好ましくは、例えばリスペリドン等の向精神薬、特に抗統合失調症薬；又はペプチド若しくはタンパク質からなる群から選択される有効成分を含む。移植片は特に、ホルモン又はホルモン拮抗薬及びホルモン作動薬、例えばＬＨＲＨ又はＬＨＲＨ拮抗薬、例えばアナストロゾールの群からの有効成分を含む。ゴセレリン、リュープロレリン及びオクトレオチドも好ましい。
【００７１】
移植片は好ましくは、乳酸及び／又はグリコール酸のポリマー及びコポリマー、特にポリラクチド及び（and）ポリ−ラクチド−コ−グリコリド、並びにまたポリエステル及び脂質からなる群から選択される生分解性プラスチック材料を含む。特に好ましい移植片は、ポリ−ラクチド−コ−グリコリドとゴセレリンとのプラスチック／有効成分の組合せを含む。
【００７２】
また、本発明は、移植片が本発明による方法を用いて注射用カニューレ内に固定される、移植片を伴う注射用カニューレを提供する。本発明による移植片を伴う注射用カニューレは、カニューレを動かす場合に移植片がしっかりと確実に保持される、すなわち、移植片が不用意にカニューレから脱落しないことによって区別される。好適な挿入装置と組み合わせて意図したように使用する場合、移植片は、挿入具、例えばプランジャを用いてカニューレから患者内に容易に注入される。
【００７３】
特に好ましい実施の形態では、移植片を伴う注射用カニューレが、流動性の生理学的に許容可能な材料により、側方開口部を有するカニューレ内に、開口部の反対側に位置するカニューレの内壁上の開口部の領域において脱着可能に固定される移植片を含む。このカニューレは、移植片の存在について簡単な目視検査を行うことを可能とする。
【００７４】
実施例を参照することにより本発明を以下でより詳細に説明するが、本発明はこれらの実施例に限定されるものではない。
【実施例】
【００７５】
実施例では以下の材料を使用した。
【００７６】
注射用カニューレ：特殊鋼、シリコーンで被覆、長さ３２ｍｍ、内径１．４ｍｍ、外径１．６ｍｍ、カニューレの先端から２６ｍｍの距離に１．２ｍｍの直径を有する側方開口部、及び例えばSFM社から入手可能なルアーロック連結システムを伴う。
【００７７】
移植片：１５ｍｍ×１．５ｍｍ、７９．５重量％のポリ−ラクチド−コ−グリコリド（５０：５０）と２０．５重量％のゴセレリンとから作製される。
【００７８】
半固体材料：以下のとおりに調製したポリエチレングリコールの混合物：１．２３ｇのＰＥＧ  ４００及び１．２３ｇのＰＥＧ  １０００を８０℃で撹拌しながら合わせて溶融し、更に撹拌しながら、室温まで冷却させた。軟膏状塊が形成される。様々な種類のＰＥＧを混合することによるＰＥＧ軟膏の製造は、当業者に既知である。
【００７９】
硬化性ポリマー材料：例えばＥｌａｓｔｏｓｉｌ  Ｅ４１の商標名でWacker Chemie社から入手可能なシリコーンゴムＲＴＶ−１。
【００８０】
スタイレット：特殊鋼製、直径１．０ｍｍ、例えばSFM社から入手可能。
【００８１】
挿入システム：実施例６を参照されたい。
【実施例１】
【００８２】
硬化性ポリマー材料の小滴を、注射用カニューレ内に、側方開口部とルアーロック連結システムとの間（開口部上方又は先端から離れたカニューレの一部）の領域において導入した。その後、スタイレットを用いて硬化性ポリマー材料をカニューレ内に分配した。導入したポリマー材料の量は、示差秤量（differential weighing）により１０ｍｇと測定された。ポリマー材料を一晩硬化させた。その後、移植片をルアーロック側からカニューレ内に導入し、移植片が側方開口部の領域に据えられる（目視検査）までスタイレットを用いて変位させた。
【００８３】
移植片は、強力な振とうによってもカニューレから除去されることはなかった。挿入システムを用いて、カニューレから移植片を排出（「注入」）させることは問題なく可能であり、排出された移植片はシリコーンの痕跡を何ら示さなかった。
【実施例２】
【００８４】
実施例１を繰り返し、同様の結果を得たが、導入したポリマー材料の量は１３ｍｇと測定された。
【実施例３】
【００８５】
半固体材料の小滴を、注射用カニューレ内に、側方開口部とカニューレの先端との間の領域において導入した。導入した半固体材料の量は、示差秤量により４．２ｍｇと測定された。その後、移植片をルアーロック側からカニューレ内に導入した。充填用補助具（スタイレット）を使用する必要はなかった。
【００８６】
強力な振とうによっても移植片はカニューレから脱落しなかった。挿入システムを用いて、カニューレから移植片を問題なく排出（「注入」）することが可能であり、示差秤量によって４．１ｍｇの半固体材料が、排出された移植片上に検出された。
【実施例４】
【００８７】
実施例３を繰り返し、同様の結果を得たが、導入した半固体材料の量は５．６ｍｇと測定され、そのうち５．０ｍｇが、排出された移植片上に検出された。
【実施例５】
【００８８】
実施例３を繰り返し、同様の結果を得たが、導入した半固体材料の量は０．８ｍｇまで減少し、そのうち０．８ｍｇが、排出された移植片上に検出された。
【実施例６】
【００８９】
市販されているシリンジ（５ｍｌ）に、平らな端部を得るためにペンチで先端（べベルポイント）を取り除いた０．９ｍｍ×４０ｍｍのカニューレを設け、硬化性ポリマー材料を充填した。このシリンジを用いて、およそ１μｌのポリマー材料の小滴を、側方開口部と反対側のカニューレの内壁上の注射用カニューレ内に導入した。導入したポリマー材料の量は、示差秤量により１ｍｇと測定された。ポリマー材料を一晩硬化させた。その後、移植片をルアーロック側からカニューレ内に導入し、移植片が側方開口部の領域に据えられる（目視検査）までスタイレットを用いて変位させた。
【００９０】
移植片は、強力な振とうによってもカニューレから取り除かれることはなかった。挿入システムを用いて、カニューレから移植片を排出（「注入」）させることは問題なく可能であり、排出された移植片は表面上にシリコーンの痕跡を何ら示さなかった。